(57)【特許請求の範囲】
【請求項１】
車輪を有して光ファイバ母材Ｍの移動可能とする台車と、当該台車上に立設された機枠フレームと、当該機枠フレームの一部をカイドフレームとしてガイドされて上下動するアームロッド用昇降支持部と、前記台車又は機枠フレームに設置されて前記アームロッド用昇降支持部を上下動させるための駆動源と、前記アームロッド用昇降支持部に水平にかつその軸の周りに回転可能としてその片端が支持されたアームロッドと、当該アームロッド用の回転手段と、前記アームロッドの遊端側に、その向きが前記アームロッドの軸方向に垂直となるＴ字型に固着されたチャック用ロッドと、当該チャック用ロッドの両端に取り付けられた光ファイバ母材把持用の両チャックとからなる光ファイバ母材の搬送機であって、前記アームロッドの回動により前記チャック用ロッドの向きを、搬送すべき光ファイバ母材の水平又は垂直位置に合致させることができることを特徴とする光ファイバ母材の搬送機。
【請求項２】
前記回転手段が、アームロッド用昇降支持部に設置されて前記アームロッドを回転可能に装着させるギヤーボックスと、前記機枠フレームの一部に取り付けられて前記ギヤーボックスを回転駆動させるための回転操作部と、当該回転操作部と前記ギヤーボックスに張られたフレキシブル動力伝達手段とからなることを特徴とする請求項１記載の光ファイバ母材の搬送機。
【請求項３】
前記両チャックが、チャック枠部と、当該チャック枠部内にその一方側が回転可能に収納されると共に、当該チャック枠部から延出する他方側が開閉される一対のフンガー片と、当該両フンガー片の一方側の各回転基点部分に固着されると共に、互いに噛み合う２個のギヤーとを備え、かつ、両チャックの一方のフンガー片同志の回転基点部分が連設回転シャフトによって接続され、さらに、一方のチャック側の前記連設回転シャフトにはウォームホイールが固着されると共に、当該ウォームホイールにはウォームを介して回転操作手段を連係させるようにしたことを特徴とする請求項１又は２記載の光ファイバ母材の搬送機。
【発明の詳細な説明】
【０００１】
【発明の属する技術分野】
本発明は、光ファイバ母材、特に大径化乃至長尺化されたものの取り扱いを容易するための光ファイバ母材の搬送機に関するものである。
【０００２】
【従来の技術】
従来、光ファイバの製造における光ファイバ母材の取り扱いにあっては、一般に人手に頼っていた。
例えば、図１４に示した如き旋盤１を用いて、光ファイバ母材Ｍの両端にダミーロッドＬ，Ｌを融着する場合には、旋盤１のベースプレート２上に自在に移動できる一対のスライダ３，３を設け、このスライダ３，３に付設されたチャック４，４で、光ファイバ母材ＭやダミーロッドＬを適宜把持して、光ファイバ母材Ｍの端面のセンターにダミーロッドＬを突き合わせ、この状態で、ベースプレート２上を移動できるバーナ５の火炎で加熱し、接合させているが、このような融着作業の場合、光ファイバ母材ＭやダミーロッドＬの旋盤１への取り付けや取り外しにおいては、人手に頼っていた。
【０００３】
【発明が解決しようとする課題】
ところが、近年、光ファイバ製造のコストダウンの目的で、光ファイバ母材Ｍは、大径化乃至長尺化する傾向にあり、大きな母材Ｍにあっては、その直径が１００ｍｍにも及び、長さも１０００ｍｍを越えるものもある上に、上記したように、この母材Ｍの両端には、さらに１０００〜１２００ｍｍ程度もあるかなり長いダミーロッドＬが接合されるため、全体の重量が相当な重さとなると同時に、全長もかなりの長さとなり、特に、ダミーロッドＬが溶着されて出来上がった状態の光ファイバ母材Ｍを人手で、取り外し、これを所定の保管場所に移動させる場合、作業者の負担が大きく、大変な重労働となる。
また、光ファイバ母材Ｍの大径化や長尺化の程度によっては、作業者１人ではとても対応できないため、２人の作業者が必要となるなどの問題も生じる。
【０００４】
さらに、ダミーロッドＬの融着された直後の光ファイバ母材Ｍは、かなりの高温状態にあるため、人手による場合、安全な取り扱い可能な温度に下がるまで待たなければならなず、特に母材Ｍが大径化乃至長尺化すると、その分熱量が大きくなるため、この待時間が長くなって、作業性のさらなる悪化が懸念される。
【０００５】
本発明は、このような従来の問題点に鑑みてなされたもので、今後の母材の大径化乃至長尺化に関わらず、１人の作業者で十分対応できると共に、少々の高温状態でも、取り扱いを可能とした、簡単な構造からなる光ファイバ母材の搬送機を提供せんとするものである。
【０００６】
【発明が解決しようとする課題】
請求項１記載の本発明は、車輪を有して光ファイバ母材Ｍの移動可能とする台車と、当該台車上に立設された機枠フレームと、当該機枠フレームの一部をカイドフレームとしてガイドされて上下動するアームロッド用昇降支持部と、前記台車又は機枠フレームに設置されて前記アームロッド用昇降支持部を上下動させるための駆動源と、前記アームロッド用昇降支持部に水平にかつその軸の周りに回転可能としてその片端が支持されたアームロッドと、当該アームロッド用の回転手段と、前記アームロッドの遊端側に、その向きが前記アームロッドの軸方向に垂直となるＴ字型に固着されたチャック用ロッドと、当該チャック用ロッドの両端に取り付けられた光ファイバ母材把持用の両チャックとからなる光ファイバ母材の搬送機であって、前記アームロッドの回動により前記チャック用ロッドの向きを、搬送すべき光ファイバ母材の水平又は垂直位置に合致させることができることを特徴とする光ファイバ母材の搬送機にある。
【０００７】
請求項２記載の本発明は、前記回転手段が、アームロッド用昇降支持部に設置されて前記アームロッドを回転可能に装着させるギヤーボックスと、前記機枠フレームの一部に取り付けられて前記ギヤーボックスを回転駆動させるための回転操作部と、当該回転操作部と前記ギヤーボックスに張られたフレキシブル動力伝達手段とからなることを特徴とする請求項１記載の光ファイバ母材の搬送機にある。
【０００８】
請求項３記載の本発明は、前記両チャックが、チャック枠部と、当該チャック枠部内にその一方側が回転可能に収納されると共に、当該チャック枠部から延出する他方側が開閉される一対のフンガー片と、当該両フンガー片の一方側の各回転基点部分に固着されると共に、互いに噛み合う２個のギヤーとを備え、かつ、両チャックの一方のフンガー片同志の回転基点部分が連設回転シャフトによって接続され、さらに、一方のチャック側の前記連設回転シャフトにはウォームホイールが固着されると共に、当該ウォームホイールにはウォームを介して回転操作手段を連係させるようにしたことを特徴とする請求項１又は２記載の光ファイバ母材の搬送機にある。
【０００９】
【発明の実施の形態】
図１〜図１２は、本発明に係る光ファイバ母材の搬送機の実施の形態の一例を示したものである。図中、１０は台車、２０は機枠フレーム、３０はアームロッド用昇降支持部、４０は駆動源、５０はアームロッド、６０はアームロッド用の回転手段、７０はチャック用ロッド、８０Ａ，８０Ｂは光ファイバ母材把持用の両チャックである。
【００１０】
上記台車１０は、水平の枠フレーム１１などの四隅などにキャスターなどの車輪１２を有して移動できるようになっており、その上面の一方側（図１中右側）には、コ字形の枠フレーム２１，２２などからなる機枠フレーム２０が立設させてある。この機枠フレーム２０の内側の枠フレーム２１の２本の立設部分には、カイドフレームとして、上記アームロッド用昇降支持部３０の筒体などからなる摺動部３１，３１（図１中背面側省略）が上下動自在に装着されている。
【００１１】
上記アームロッド用昇降支持部３０は、上記摺動部３１，３１に固着されて水平に維持されるテーブル部３２とこの上に立設された立設フレーム３３を備え、この立設フレーム３３の上端には、アームロッド用の回転手段６０の一部品であるギヤーボックス６１が設置されると共に、その前方（図１中左側）には、アームロッド用の支持フレーム３４が取り付けられている。
【００１２】
上記ギヤーボックス６１と支持フレーム３４の先端の軸受け部３５間には、アームロッド５０が渡され、このアームロッド５０は、アームロッド用の回転手段６０のハンドルなどからなる回転操作部６２を回せば、この回転操作部６２とギヤーボックス６１に張られたホース状のフレキシブル動力伝達手段６３を介して、時計方向又はその逆方向のいずれへも自在に回転できるようになっている。
上記回転操作部６２は、図２に示すように、機枠フレーム２０の上端側の一部に取り付けてある。
【００１３】
一方、上記アームロッド用昇降支持部３０を上下動させるための駆動源４０は、特に限定されないが、例えば図５に示すように（他図では図示省略）、上記台車１０上に設置された足踏みペダル４２を有する油圧などのシリンダ４１と、このピストンロッド４３の先端に軸着されたギヤー４４と、このギヤー４４に巻回されると共に、その一方がシリンダ４１の側面に固着される一方、他端が、上記枠フレーム２１のカイドフレーム部分に装着された上記アームロッド用昇降支持部３０の摺動部３１に固着されたチェーンなどの動力伝達手段４５と、シリンダ４１の油圧解除用のバルブスイッチなどの操作部４６とからなり、この操作部４６は、機枠フレーム２０の上端側などの一部に取り付ければよい。
【００１４】
したがって、駆動源４０では、作業者がシリンダ４１の足踏みペダル４２を踏み込めば、ピストンロッド４３が上昇し、これに伴って、チェーンなどの動力伝達手段４５がアームロッド用昇降支持部３０の摺動部３１を引き上げるため、アームロッド用昇降支持部３０は、簡単に上昇する。このチェーンなどの動力伝達手段４５とギヤー４４の組み合わせにより、少ないピストンロッド４３の伸長ストロークによって、より大きな摺動部３１の上昇を得ることができる。
そして、アームロッド用昇降支持部３０を下げるには、バルブスイッチなどの操作部４６を適宜操作すればよい。
【００１５】
上記チャック用ロッド７０は、アームロッド５０の遊端側にＴ字型に固着されると共に、その両端には、光ファイバ母材把持用の両チャック８０Ａ，８０Ｂが取り付けられている。これらの両チャック８０Ａ，８０Ｂは、基本的には、両者とも同構造であるが、図２から明らかなように、一方のチャック８０Ａ（図２中左側）に、ハンドルなどの回転操作手段８１がある点において異なる。
【００１６】
この両チャック８０Ａ，８０Ｂは、図６〜図１２に示すように、いずれもチャック枠部８２と、このチャック枠部８２内にその一方側が回転可能に収納されると共に、このチャック枠部８２から延出（突出）する他方側が開閉される一対（上下一対）のフンガー片８３ａ，８３ｂと、これらのフンガー片８３ａ，８３ｂの一方側の各回転基点部分に固着されると共に、互いに噛み合う２個のギヤー８４，８４とを備えてなる。
【００１７】
そして、両チャック８０Ａ，８０Ｂの一方のフンガー片８３ａ，８３ａ同志の回転基点部分は、連設回転シャフト８５によって接続され、さらに、一方のチャック８０Ａ側の上記連設回転シャフト８５にはウォームホイール８６が固着されると共に、このウォームホイール８６には、ウォーム８７、このウォーム８７の回転シャフト８８を介して、上記回転操作手段８１を連係させてある。
なお、８９は両チャック８０Ａ，８０Ｂのフンガー片８３ｂ，８３ｂ側が固着された回転シャフト、９０は連設回転シャフト８５，回転シャフト８８〜８９の軸受けである。
【００１８】
したがって、この回転操作手段８１のハンドルをいずれかの方向に回転させると、ウォーム８７、ウォームホイール８６を通じて、連設回転シャフト８５が回転し、これによって、両チャック８０Ａ，８０Ｂの一方のフンガー片８３ａ，８３ａに固着されたギヤー８４，８４が回転すると共に、これと噛み合う他方のフンガー片８３ｂ，８３ｂに固着されたギヤー８４，８４も回転するため、各チャック８０Ａ，８０Ｂの一対の各フンガー片８３ａ〜８３ｂ，８３ａ〜８３ｂは、図８及び図１１に示すように、簡単に開閉される。
【００１９】
この各チャック８０Ａ，８０Ｂの一対の各フンガー片８３ａ〜８３ｂ，８３ａ〜８３ｂは、後述のように、光ファイバ母材Ｍ、特にダミーロッドＬを挟み込んで把持するものであるため、好ましくは、中央部に凹み部９１ａを有すると共に、硬質ゴムや耐熱性の弾性複合材などからなる圧着部９１を設けるとよい。
また、上記回転操作手段８１は、ハンドルに限定されず、図１３に示すように、回転シャフト８８の突出部分に多角形（四角形や六角形など）の係合部８８ａを設け、この部分に嵌合する係合穴などの係合部８１ａを有するレンチなどの工具からなる回転操作手段８１´で対応することもできる。このレンチでは、ハンドルに比較して、微妙な調整がし易いという利点がある。なお、上記とは逆にレンチ側に多角形の突出する係合部を設け、回転シャフト８８の突出部分に係合穴などを設けてもよい。
【００２０】
このように構成される本発明の搬送機によって、光ファイバ母材Ｍを取り扱うケースとしては、特に限定されないが、例えば上記図１４に示した如き旋盤１によって、その両端にダミーロッドＬ，Ｌの融着された光ファイバ母材Ｍを取り外す場合が挙げられる。
【００２１】
この場合は、先ず、旋盤１の側方に搬送機全体を移動させ、駆動源４０のシリンダ４１の足踏みペダル４２を踏み込んで、アームロッド用昇降支持部３０と共に両チャック８０Ａ，８０Ｂを上昇させ、その高さを上記旋盤１の光ファイバ母材Ｍの設置位置に合わせる。
【００２２】
次に、この状態で、両チャック８０Ａ，８０Ｂが閉じている場合には、回転操作手段８１，８１´の操作によって、これらを開く。また、このとき、両チャック８０Ａ，８０Ｂの水平が取れていないとき（傾いているとき）には、ハンドルなどの回転操作部６２を操作して、アームロッド５０を回し、チャック用ロッド７０を水平にすればよい。
【００２３】
この両チャック８０Ａ，８０Ｂを開いた状態で、図３や図６に示すように、さらに搬送機全体を旋盤１の光ファイバ母材Ｍ側に移動させ、それぞれ各一対のフンガー片８３ａ〜８３ｂ，８３ａ〜８３ｂ間に光ファイバ母材ＭのダミーロッドＬ，Ｌが位置するようにする。この後、やはり回転操作手段８１，８１´の操作によって、両チャック８０Ａ，８０Ｂを閉じる。
これによって、ダミーロッドＬ，Ｌの融着された光ファイバ母材Ｍは、搬送機によって保持されるため、旋盤１のチャック４，４を解除し、スライダ３，３を移動させて退避させる。
【００２４】
この後、搬送機全体を旋盤１から離間させ、例えば図４に示すように、ハンドルなどの回転操作部６２を操作して、アームロッド５０を回し、チャック用ロッド７０を垂直にして、ダミーロッドＬ，Ｌの融着された光ファイバ母材Ｍも垂直の保管態勢にし、この状態で、搬送機を保管用ラック（保管場所）などの部分に移動させ、取り外して、この保管用ラックにダミーロッド付きの光ファイバ母材Ｍとして立て掛ければよい。
【００２５】
これらの一連の作業は、光ファイバ母材Ｍの大径化乃至長尺化によって、相当な重量や相当な長さがあっても、１人の作業者によって、簡単かつスピーディーに行うことができる。もちろん、このような機械装置によって、ダミーロッド融着後の光ファイバ母材Ｍにあって、十分な温度低下がなくとも、作業者は何らの危険を伴うことなく、安全に取り扱うことができる。
【００２６】
なお、上記実施の形態では、両チャック８０Ａ，８０Ｂの開閉が、一方のチャック８０Ａ部分に設けた回転操作手段８１，８１´の操作によって、連動して行われるように構成してあるが、両チャック８０Ａ，８０Ｂが別々の状態で、開閉できるようにしてもよい。また、両チャック８０Ａ，８０Ｂは、アームロッド５０の回転により、水平及び垂直状態が自在に取れるため、図１４のような水平型の旋盤１だけではなく、垂直型の旋盤にも対応することができる。
【００２７】
【発明の効果】
このように本発明に係る光ファイバ母材の搬送機によると、光ファイバ母材の大径化乃至長尺化によって、相当な重量や相当な長さがあっても、上記したように１人の作業者によって、簡単かつスピーディーに行うことができる。
また、このような搬送機という機械装置によって、ダミーロッド融着後の光ファイバ母材Ｍからかなり離れた位置で作業することができるため、十分な光ファイバ母材Ｍの温度低下がなくとも、作業者は何らの危険を伴うことなく、安全に取り扱うことができる。また、これによって、温度低下の待ち時間が短縮できるため、大幅な作業性の向上も得られる。
【図面の簡単な説明】
【図１】本発明に係る光ファイバ母材の搬送機の一実施例になる側面図である。
【図２】本発明に係る光ファイバ母材の搬送機の一実施例になる背面図である。
【図３】本発明に係る光ファイバ母材の搬送機の一実施例になる平面図である。
【図４】本発明に係る光ファイバ母材の搬送機において、両チャックを垂直にした状態を示した側面図である。
【図５】本発明に係る光ファイバ母材の搬送機の駆動源を示した背面図である。
【図６】本発明に係る光ファイバ母材の搬送機における両チャックを示した拡大平面図である。
【図７】本発明に係る光ファイバ母材の搬送機における一方のチャックを示した拡大横断平面図である。
【図８】本発明に係る光ファイバ母材の搬送機における一方のチャックを示した拡大縦断側面図である。
【図９】本発明に係る光ファイバ母材の搬送機における一方のチャックを示した拡大縦断側面図である。
【図１０】本発明に係る光ファイバ母材の搬送機における他方のチャックを示した拡大横断平面図である。
【図１１】本発明に係る光ファイバ母材の搬送機における他方のチャックを示した拡大縦断側面図である。
【図１２】本発明に係る光ファイバ母材の搬送機における他方のチャックを示した拡大縦断側面図である。
【図１３】本発明に係る光ファイバ母材の搬送機における一方のチャックの他例を示した拡大縦断側面図である。
【図１４】光ファイバ母材へのダミーロッドの融着に用いられる旋盤の一例を示した概略説明図である。
【符号の説明】
Ｍ                      光ファイバ母材
Ｌ                      ダミーロッド
１０                    台車
２０                    機枠フレーム
３０                    アームロッド用昇降支持部
４０                    駆動源
５０                    アームロッド
６０                    アームロッド用の回転手段
６１                    ギヤーボックス
６２                    回転操作部
６３                    フレキシブル動力伝達手段
７０                    チャック用ロッド
８０Ａ，８０Ｂ          両チャック
６２                    チャック枠部
８３ａ，８３ｂ          一対のフンガー片
８４                    ギヤー
８５                    連設回転シャフト
８６                    ウォームホイール
８７                    ウォーム
８１，８１´            回転操作手段
【図３】
0003977497.tif 000002
【図４】
0003977497.tif 000003
【図５】
0003977497.tif 000004
【図６】
0003977497.tif 000005
【図７】
0003977497.tif 000006
【図８】
0003977497.tif 000007
【図９】
0003977497.tif 000008
【図１０】
0003977497.tif 000009
【図１１】
0003977497.tif 000010
【図１２】
0003977497.tif 000011
【図１３】
0003977497.tif 000012
【図１４】
0003977497.tif 000013
【図１】
0003977497.tif 000014
【図２】
0003977497.tif 000015